(57)【特許請求の範囲】
【請求項１】
表装紙と芯材からなる表紙と中身を接着剤で貼着してある上製本であって、
前記表紙の背部の内側で、前記芯材の上に
粘着剤／シート部材／粘着剤／二種類の金属または合金からなる磁性材料／シート部材からなる不正持ち出し防止部材を、天地方向に平行に設け、
前記防止部材をさらに粘着剤を有する保護シート部材で覆った
ことを特徴とするフォローバック型の上製本。
【発明の詳細な説明】
【０００１】
【発明の属する技術分野】
本発明は、磁気的に監視するシステムに対応した不正持出し防止部材を設けた上製本に関する。
【０００２】
【従来の技術】
従来技術は、商品に磁性材料を取り付け、その商品を不正（代金を払わないで持ち出す）に持ち出したとき、ある周波数の交番磁場をゲート状の送信と受信アンテナ間に向けて放射し、該アンテナ間に尋問磁場が形成されており、この尋問磁場内に不正持ち出しの商品が通過すると、前記磁性材料から複数の高周波群を含む多数のパルスが発生し、これを受信アンテナを通してコントロール装置に導き、アラーム発生や出入り口を閉鎖する等のシステムが知られている。
前記磁性材料は活性層と呼ばれる高い透磁率／低い保持力を有する磁気層と、失活層と呼ばれる中程度の透磁率／高い保持力を有する層の二重構造になっており、正規に購入した場合は、レジで失活層が磁化され前記磁性材料から複数の高周波群を含む多数のパルスは発生しない。これによって不正持ち出しを防止している。
【０００３】
前記磁性材料を商品に取り付ける方法は、薄板状部材の間に磁性材料を保持し、接着剤層を介して剥離紙が設けられたラベルを用いる方法が知られている。
上製本に上記ラベル状磁性材料を取り付けるには、本を醜いものにしてしまうおそれと、見えにくい場所に貼着しようとすると手間もばかにならない。近年ソースターキング（製造段階で磁性材料を取り付ける）用として、安価なラベル状磁性材料が出現してきたので、上製本にどのようにどんな不正持ち出し防止部材を、取り付けるかを鋭意研究し本発明に到ったものである。
【０００４】
【発明が解決しようとする課題】
本発明は、上記問題点を解決すべく、上製本の表装紙と芯材からなる表紙の背部の内側で、前記芯材の上に不正持ち出し防止部材を組み込んだフォローバック型の上製本を提供することを課題とする。
【０００６】
【課題を解決するための手段】
請求項１に記載の発明は、表装紙と芯材からなる表紙と中身を接着剤で貼着してある上製本であって、前記表紙の背部の内側で、前記芯材の上に粘着剤／シート部材／粘着剤／二種類の金属または合金からなる磁性材料／シート部材からなる不正持ち出し防止部材を、天地方向に平行に設け、前記防止部材をさらに粘着剤を有する保護シート部材で覆ったことを特徴とするフォローバック型の上製本である。
このような構成としたので、表装紙と芯材からなる表紙と中身を接着剤で貼着するフォローバック型の上製本の背部内側に不正持ち出し部材が目立たず、比較的容易に設けることが可能となる。
【０００８】
さらに、前記不正持ち出し防止部材が表紙の背部に、天地方向に平行に設けられていることを特徴とする。
このような構成とすることにより、本の背部に設けても、本を開閉するときにも抵抗が少なくなり剥れたりしずらくなる。
【０００９】
そして、前記不正持ち出し防止部材をさらに粘着剤を有する保護シート部材で覆ったことを特徴とする。
このような構成とすることにより、特に中身と背表紙部に空間があるフォローバック型の上製本において、不正持ち出し防止部材がより強固に設けられる。
【００１０】
【発明の実施の形態】
以下、本発明を図面に基づき詳細に説明する。
初めに、上製本の定義について述べる。並製本と上製本との違いは、中身となる本文頁と表紙の大きさが同じかどうかで判別する。並製本は週刊誌や月間誌で知られているように、中綴じや無線綴じを行ない、中身と表紙を綴じ合わせてから三方断裁を行うので、中身と表紙の大きさが同じになる。これに対して上製本は、印刷された折丁を丁合、糸綴り、均し、駒締め、下固め、仕上げ裁ち、丸身・耳出し、背固め、等を行なった中身に、表紙を接着する表紙くるみという工程で製造される。通常中身より表紙を大きくし、いわゆるチリを有する。また、上製本の表紙は、厚くて硬いものが多い。これは表面の表装紙に芯部材を貼着し折り返して製造するからである。また、上製本の表紙には、一枚もので紙または合成樹脂シートでなるものを使用される。
また、上製本には上記工程中、丸身出しを行なわない角背タイプもある。その他、糸綴りではなくアジロ綴じを行なうものもある。
【００１１】
図１は本発明の上製本の斜視説明図である。１は上製本、２は表紙、３は中身、４は不正持ち出し防止部材、５はスピンである。スピンはあってもなくてもよい。表紙２の背部の内側に不正持ち出し防止部材４が設けられているが、外からは見えない。図２は本発明の上製本の斜視説明図である。これは角背タイプである。
【００１２】
図３は本発明の上製本の斜視説明図である。丸背タイプで、不正持ち出し防止部材４を表紙と見返しの間に貼着し、外から見えない。図４は図３と同様で角
背タイプである。
【００１３】
図５と図６は背固めが終わった中身３の背固め部６に、不正持ち出し防止部材４を保持した表紙２を貼着する状態を示す説明図である。
図７は上製本用表紙２に不正持ち出し防止部材を貼着した状態を示す説明図である。８は表装紙、９は芯材である。表装紙８の裏面に接着剤を塗布し、表表紙、背表紙、裏表紙、各部用の芯材９を所定の位置に配置し、周囲を天地方向に折り曲げ、さらに左右方向に折り曲げ貼着して表紙２を作製する。該表紙２に、天地方向に搬送するコンベアとオートフィーダー及びラベル貼り機でラベル状の不正持ち出し防止部材４を貼り込む。
【００１４】
図８は図７のＡ−Ａ断面説明図である。不正持ち出し防止部材４は比率的に拡大表示してある。不正持ち出し防止部材４は粘着剤１１、第一の磁性部材１２と第二の磁性部材１３とからなる磁性材料１４、シート部材１０とから構成されている。
【００１５】
第一の磁性部材１２として好ましい材料としては、アモルファス合金であり、保磁力は０．１〜１．０エルステッドのものが挙げられる。組成としては、Ｆe、Ｃｏ、ＮIのうち少なくとも１種を６５原子％以上含むものが挙げられる。アモルファス形成を促進する元素として、Ｂ、Ｐ、Ｃ、Ｓｉ、Ａl、Ｇａ、Ｚr、Ｎｂ、Ｔaから選ばれる少なくとも１種の元素を１０原子％以上３５原子％以下含むことが好ましい。
例えば、Ｆｅ−Ｓｉ系、Ｆｅ−Ｃr-Ｃo-Ｎｉ-Ｍo系、Ｃo-Ｓｉ-Ｍn-Ｆe系等が使用できる。また、上記に他の金属を含有してもよい。
【００１６】
第二の磁気部材として好ましい材料は、保磁力が１０〜１０００エルステッドでＦe-Ｃo-Ｍn-Ｓｉ系、Ｃu-Ｎｉ-Ｆe系、Ｃu-Ｎｉ-Ｃo系、Ｐt-Ｃo系あるいはステンレス等が使用できる。
【００１７】
シート部材１０としては、ポリエチレンフィルム、ポリエチレンテレフタレートフィルム、ポリエステルフィルム、ナイロンフィルム、ポリイミドフィルム等が使用できる。その他に透明性を要求しなければ紙部材でもよい。
【００１８】
図９は図７の不正持ち出し防止部材４の上を覆って、粘着剤を有する保護部材１６を貼着し、さらに剥離防止を強化したものである。これは特にフォローバックタイプの上製本（中身と表紙の背部が接着してないタイプ）に有効である。
【００１９】
図１０の（イ）、（ロ）、（ハ）、（ニ）は磁性材料１４の異なる例である。
（イ）は第一の磁性部材１２として薄い箔と第二の磁性部材１３として小さい孔が多数明いている薄い箔の組み合わせである。（ロ）は第一の磁性部材１２として細い針金状部材と第二の磁性部材１３として該針金状部材の外側を覆う薄膜層の構成である。（ハ）は第一の磁性部材１２としてアモルファスワイヤーと第二の磁性部材１３としてスレンレスの小さい薄板片とから構成されている。（ニ）は第一の磁性部材１２としてアモルファスワイヤーと第二の磁性部材１３として細長状薄板片とから構成されている。これらは第一の磁性部材と第二の磁性部材を重ね合わせて図８の断面説明図に示すように、シート部材に挟み込んで用いることが好ましい。
【００２０】
【実施例】
図７に示すような上製本の表紙２にラベル貼り機で不正持ち出し防止部材４を貼着し、図５のように上製本製本ラインで中身と表紙２を貼着した。不正持ち出し防止部材４のサイズは長さ３０ｍｍ、幅６ｍｍ、厚さ０．２ｍｍの図１０（ハ）のタイプを用いた。このようにして図１に示すような本発明の上製本を得た。これを市販の磁気検知ゲートにて、テストしたところ不正持ち出し想定では検知し、不活性処理を行なったところ検知しなくなり、当初の性能を発揮した。
【００２２】
【発明の効果】
請求項１に記載の発明は、表装紙と芯材からなる表紙と中身を接着剤で貼着するフォローバック型の上製本の背部内側に不正持ち出し部材が目立たず、比較的容易に設けることが可能となる。
【００２４】
さらに、本の背部に設けても、本を開閉するときにも抵抗が少なくなり剥れたりしずらくなる。
【００２５】
そして、特に中身と背表紙部に空間があるフォローバック型の上製本において、不正持ち出し防止部材がより強固に設けられる。
【図面の簡単な説明】
【図１】本発明の上製本を示す斜視説明図である。
【図２】本発明の上製本を示す斜視説明図である。
【図３】本発明の上製本を示す斜視説明図である。
【図４】本発明の上製本を示す斜視説明図である。
【図５】背固めが終わった中身の背固め部に、不正持ち出し防止部材を保持した表紙を貼着する状態を示す説明図である。
【図６】背固めが終わった中身の背固め部に、不正持ち出し防止部材を保持した表紙を貼着する状態を示す説明図である。
【図７】上製本用表紙に不正持ち出し防止部材を貼着した状態を示す説明図である。
【図８】図７のＡ−Ａ断面説明図である。
【図９】図７の不正持ち出し防止部材の上を覆って、粘着剤を有する保護部材を貼着した状態を示す説明図である。
【図１０】（イ）、（ロ）、（ハ）、（ニ）は本発明に用いる磁性材料の種類を示す説明図である。
【符号の説明】
１…上製本  ２…表紙  ３…中身  ４…不正持ち出し防止部材  ５…スピン
６…背固め部  ７…花ぎれ  ８…表装紙  ９…芯材  １０…シート部材  １１…粘着剤  １２…第一の磁性部材  １３…第二の磁性部材  １４…磁性材料  １５…接着剤  １６…保護部材
【図１】
0004035987.tif 000002
【図２】
0004035987.tif 000003
【図３】
0004035987.tif 000004
【図４】
0004035987.tif 000005
【図５】
0004035987.tif 000006
【図６】
0004035987.tif 000007
【図７】
0004035987.tif 000008
【図８】
0004035987.tif 000009
【図９】
0004035987.tif 000010
【図１０】
0004035987.tif 000011